(57)【要約】【課題】自然エネルギーや排熱による１つの熱源を、温度の異なる複数の貯蔵室等の熱源利用空間に利用できかつ各熱源利用空間の空気が混合されない、間接熱交換空気循環システムを提供する。【解決手段】冷熱源2又は温熱源が配置されている、閉鎖空間又は開放空間である１つの熱源空間1と、閉鎖空間である複数の熱利用空間3A,3Bと、複数の熱利用空間3A,3Bの各々に対応して１つの熱源空間1内にそれぞれ設置されかつ各々が空気流路5A3を具備する複数の熱交換装置5A,5Bと、複数の熱利用空間3A,3Bの各々と、対応する複数の熱交換装置5A,5Bの各々との間で空気を循環させるためにそれぞれ連結された循環パイプ7A1,7A2,7B1,7B2及びファン6A1,6A2,6B1,6B2と、を有し、複数の熱利用空間3A,3Bの各々の温度が、少なくともファン6A1,6A2,6B1,6B2の風量により設定可能である。【選択図】図１
2017194199.tif 000002
【特許請求の範囲】
【請求項１】
冷熱源又は温熱源である熱源（2）が配置されている、閉鎖空間又は開放空間である１つの熱源空間（1）と、
閉鎖空間である複数の熱利用空間（3A,3B）と、
前記複数の熱利用空間（3A,3B）の各々に対応して前記１つの熱源空間（1）内にそれぞれ設置されかつ各々が空気流路（5A3）を具備する複数の熱交換装置（5A,5B）と、
前記複数の熱利用空間（3A,3B）の各々と、対応する前記複数の熱交換装置（5A,5B）の各々との間で空気を循環させるためにそれぞれ連結された循環パイプ（7A1,7A2,7B1,7B2）及びファン（6A1,6A2,6B1,6B2）と、を有し、
前記複数の熱利用空間（3A,3B）の各々の温度が、少なくとも前記ファン（6A1,6A2,6B1,6B2）の風量により設定可能であることを特徴とする
間接熱交換空気循環システム。
【請求項２】
前記複数の熱利用空間（3A,3B）の各々の温度が、さらに前記複数の熱交換装置の各々の熱交換性能により設定可能であることを特徴とする請求項１に記載の間接熱交換空気循環システム。
【請求項３】
前記熱源空間（1）が閉鎖された屋内空間であり、前記冷熱源が氷又は雪であることを特徴とする請求項１又は２に記載の間接熱交換空気循環システム。
【請求項４】
前記熱源空間（1）が閉鎖された屋内空間であり、前記温熱源が燃焼装置であることを特徴とする請求項１又は２に記載の間接熱交換空気循環システム。
【請求項５】
前記熱源空間（1）が開放された屋外空間であり、前記冷熱源が積雪であることを特徴とする請求項１又は２に記載の間接熱交換空気循環システム。
【請求項６】
前記熱利用空間（3A,3B）が、農水産物又はその加工品の貯蔵室であることを特徴とする請求項１〜５のいずれかに記載の間接熱交換空気循環システム。
【発明の詳細な説明】
【技術分野】
【０００１】
本発明は、排熱や自然エネルギーを利用して熱交換装置による熱交換を行う間接熱交換空気循環システム関する。
【背景技術】
【０００２】
物の貯蔵・保存や住環境の整備等には、空間の温度管理が不可欠である。温度管理には一般に電気・ガス・石油等のエネルギーが用いられるが、いずれも環境に負荷がかかるうえにコストも大きくなり、好ましくない。特に昨今は二酸化炭素排出量削減の要請からも、環境負荷の少ない温度管理方法が求められており、電気・ガス・石油の分野では、排熱を利用した環境対策製品の開発が進んでいる。
【０００３】
北海道や高地などでは、冬期には最高気温が氷点下を下回る日が続き、大量の雪が降り、水は自然に凍結する。このような雪や氷が解けるためには一定の融解熱が必要であり、周囲の空気から熱を奪うため、空気の温度が低下する。この融解熱を利用すれば、環境負荷もほとんどかからず、低コストで空間の温度管理をすることができる。
【０００４】
従来からの雪や氷の利用方法は、雪や氷を大量に運び入れた氷室の中に貯蔵物を置く自然対流方式が最も単純で、古くから利用されていた。
【０００５】
また、雪や氷の利用方法としては図３に示す直接熱交換冷風方式も知られている。
図３（ａ）（ｂ）は、直接熱交換冷風方式による貯蔵システムの構成例を模式的に表した正面概略図及び平面概略図である。図３（ｃ）は、直接熱交換冷風方式による貯蔵システムの別の構成例を模式的に表した平面概略図である。図中の矢印は空気の流れる方向を表す。
【０００６】
図３（ａ）（ｂ）及び（ｃ）に示す構成例では、タンクに水を封入し、冬期の寒気で氷結させた氷タンク１３０を冷熱源として利用している。図３（ａ）（ｂ）に示すように、氷タンク１３０を設置した氷室１００と、保冷したい貯蔵物１４０を収納した貯蔵室１１０とを分離させ、ダクトファン１２０ａ、１２０ｂを用いて氷室１００と貯蔵室１１０との間で空気を循環させることにより貯蔵室内の空間を冷やすことができる。貯蔵室１１０内の空気は、吸入ダクトファン１２０ａにより氷室１００に入り込まれ、氷室１００内で冷却される。冷却された空気は、送出ダクトファン１２０ｂにより氷室１００から貯蔵室１１０に送り込まれるため、貯蔵室１１０を冷却することができる。
【０００７】
図３（ｃ）に示す構成例は、氷タンク１３０を設置した１つの氷室１００に対し、２つの貯蔵室１１０を備える。このように、自然対流方式と異なり、氷室１００とそれぞれの貯蔵室１１０の間の壁に吸入ダクトファン１２０ａ及び送出ダクトファン１２０ｂを設置することにより、１つの氷室１００から２以上の貯蔵室１１０に空気を送ることができる。各貯蔵室の貯蔵温度が異なる場合には、電熱ヒーターなどを使用して温度管理を行う。
【０００８】
この直接熱交換冷風方式では、貯蔵室１１０の空気を直接氷室１００の空気と接触させて熱交換させているため、「直接」と称している。
【０００９】
特許文献１で提案されている移動式氷室とその使用方法は、直接熱交換冷風方式によるものであり、冬期に寒冷地で氷結させた自然氷を、寒冷地以外の夏期の冷房、冷蔵等に容易に使用できるようにした移動式氷室である。
【先行技術文献】
【特許文献】
【００１０】
【特許文献１】特開２００９−１２７８９４
【発明の概要】
【発明が解決しようとする課題】
【００１１】
自然対流方式では、雪や氷の利用目的としては貯蔵という目的でしか利用することができず、しかも氷室と貯蔵空間が同一空間であるため、１つの氷室に対し１つの貯蔵空間しか利用することができず、効率的でなかった。
【００１２】
直接熱交換冷風方式では、１つの氷室で複数の貯蔵空間を利用したり、貯蔵以外にも冷房等複数の目的に利用したりできる。しかし、複数の貯蔵室の温度を変えて利用する場合には、各貯蔵室で電熱ヒーターを使用して温度管理を行うため、温度調整が難しいだけでなく、せっかく自然エネルギーを利用して冷蔵したものを電気エネルギーで加温することになるという問題があった。
【００１３】
また、氷室から送出された空気は各貯蔵室等で放出され、各貯蔵室等の空気が氷室に放出されるという循環であるため、氷室及び各貯蔵室等の空気は氷室の中で混合されることになり、例えば生鮮品や発酵食品等、貯蔵物の種類によっては衛生管理上又は品質管理上好ましくないという問題があった。
【００１４】
本発明の目的は、自然エネルギーや排熱による１つの熱源を、温度の異なる複数の貯蔵室等の熱源利用空間に利用できかつ各熱源利用空間の空気が混合されない、間接熱交換空気循環システムを提供することである。
【課題を解決するための手段】
【００１５】
上述した課題を解決するために、本発明は以下の構成を有する。なお、括弧内の数字は、後述する図面中の符号であり、参考のために付するものである。
【００１６】
本発明の態様は、間接熱交換空気循環システムであって、冷熱源又は温熱源である熱源（2）が配置されている、閉鎖空間又は開放空間である１つの熱源空間（1）と、
閉鎖空間である複数の熱利用空間（3A,3B）と、
前記複数の熱利用空間（3A,3B）の各々に対応して前記１つの熱源空間（1）内にそれぞれ設置されかつ各々が空気流路（5A3）を具備する複数の熱交換装置（5A,5B）と、
前記複数の熱利用空間（3A,3B）の各々と、対応する前記複数の熱交換装置（5A,5B）の各々との間で空気を循環させるためにそれぞれ連結された循環パイプ（7A1,7A2,7B1,7B2）及びファン（6A1,6A2,6B1,6B2）と、を有し、
前記複数の熱利用空間（3A,3B）の各々の温度が、少なくとも前記ファン（6A1,6A2,6B1,6B2）の風量により設定可能であることを特徴とする。
【００１７】
上記の態様において、前記複数の熱利用空間（3A,3B）の各々の温度が、さらに前記複数の熱交換装置の各々の熱交換性能により設定可能であることを特徴とする。
【００１８】
上記の態様において、前記熱源空間（1）が閉鎖された屋内空間であり、前記冷熱源が氷又は雪であることを特徴とする。
【００１９】
上記の態様において、前記熱源空間（1）が閉鎖された屋内空間であり、前記温熱源が燃焼装置であることを特徴とする。
【００２０】
上記の態様において、前記熱源空間（1）が開放された屋外空間であり、前記冷熱源が積雪であることを特徴とする。
【００２１】
上記の態様において、前記熱利用空間（3A,3B）が、農水産物又はその加工品の貯蔵室であることを特徴とする。
【発明の効果】
【００２２】
本発明の間接熱交換空気循環システムによれば、冷熱源、温熱源に関わらず、自然エネルギーや排熱による１つの熱源を、貯蔵室や住居スペース等の複数の熱利用空間で利用することができる。その際、それぞれの熱利用空間で異なる温度に設定して利用することができる。
【００２３】
また、それぞれの熱利用空間同士の空気や、熱源空間と熱利用空間の空気が混じり合わないため、衛生管理上又は品質管理上好適である。
【図面の簡単な説明】
【００２４】
【図１】図１（ａ）（ｂ）は、本発明による間接熱交換空気循環システムの構成例を模式的に表した平面概略図及び正面概略図である。但し、図１（ａ）においては屋根部分を、図１（ｂ）において正面側壁部を省略している。
【図２】図２（ａ）（ｂ）（ｃ）は、図１に示した構成例の熱交換装置の平面概略図、側面概略図、及び正面概略図である。
【図３】図３（ａ）（ｂ）は、直接熱交換冷風方式による貯蔵システムの構成例を模式的に表した正面概略図及び平面概略図である。図３（ｃ）は、直接熱交換冷風方式による貯蔵システムの別の構成例を模式的に表した平面概略図である。
【発明を実施するための形態】
【００２５】
以下、図面を参考にしつつ、本発明による間接熱交換空気循環システムについて詳細に説明する。また、本発明による間接熱交換空気循環システムは、熱利用空間の空気を熱源空間の空気と直接接触させて熱交換させるのではなく、熱交換装置を介して非接触で熱交換させるので、「間接」と称している。
【００２６】
図１（ａ）（ｂ）は、本発明による間接熱交換空気循環システムの構成例を模式的に表した平面概略図及び正面概略図である。但し、図１（ａ）においては屋根部分を、図１（ｂ）において正面側壁部を省略している。（ａ）（ｂ）（ｃ）は、図１に示した構成例の熱交換パネルの平面概略図、側面概略図、及び正面概略図である。図中の矢印は空気の流れる方向を表す。
【００２７】
図１（ａ）（ｂ）に示す構成例の間接熱交換空気循環システムは、閉鎖空間である１つの熱源空間１及び複数の熱利用空間３Ａ、３Ｂを備える。熱利用空間３Ａ、３Ｂは一例として２つとしているが、３つ以上の任意の数とすることができる。熱源空間１は、一例として貯氷室であるので、以下「貯氷室１」として説明する。熱利用空間３Ａ、３Ｂは一例として貯蔵室であるので、以下「貯蔵室３Ａ、３Ｂ」として説明する。貯氷室１内には、熱源２及び熱交換装置５Ａ、５Ｂを備える。熱源２は、一例として自然エネルギーを利用して生成した冷熱源であり、冷熱源の一例として氷タンクであるので、以下「氷タンク２」として説明する。
【００２８】
氷タンク２は、貯氷室１に設置した複数段からなる棚に積み重ねて並べられたタンク内に封入した水を冬期の寒気を利用して凍らせたものである。この氷タンク２の氷が融解する際に周囲の空気から熱を奪うことで貯氷室１内の空気を冷却することができる。
【００２９】
貯氷室１と貯蔵室３Ａは、循環パイプ７Ａ１と循環パイプ７Ａ２で繋がり、貯氷室１と貯蔵室３Ｂは、循環パイプ７Ｂ１と循環パイプ７Ｂ２で繋がっている。循環パイプ７Ａ１、７Ａ２は貯蔵室３Ａでのみ開口し、循環パイプ７Ｂ１、７Ｂ２は貯蔵室３Ｂでのみ開口している。循環パイプ７Ａ２に設けられた吸入ダクトファン６Ａ２により、貯蔵室３Ａの空気が循環パイプ７Ａ２に吸入され、貯氷室１内に設置された熱交換装置５Ａを通って、循環パイプ７Ａ１に設けられた送出ダクトファン６Ａ１により、再び貯蔵室３Ａに送出される。同様に、循環パイプ７Ｂ２に設けられた吸入ダクトファン６Ｂ２により、貯蔵室３Ｂの空気が循環パイプ７Ｂ２に吸入され、貯氷室１内に設置された熱交換装置５Ｂを通って、循環パイプ７Ｂ１に設けられた送出ダクトファン６Ｂ１により、再び貯蔵室３Ｂに送出される。
【００３０】
循環パイプ７Ａ２、７Ｂ２にそれぞれ吸入された空気は、熱交換装置５Ａ、５Ｂを通る際に冷却されるため、貯蔵室３Ａ、３Ｂには循環パイプ７Ａ１、７Ｂ１から冷却された空気がそれぞれ送出される。これにより貯蔵物４Ａ、４Ｂをそれぞれ保冷することができる。
【００３１】
熱交換装置５Ａ、５Ｂの形状及び配置は任意であるが、図示の例では、熱交換装置５Ａ、５Ｂの各々の全体形状が略パネル状である。一例として、熱交換装置５Ａ、５Ｂの各々が氷タンク２の棚と同程度の高さを有し、氷タンク２の棚と棚の間に挟まれるように鉛直方向に起立して配置されている。この例では、略パネル状の熱交換装置５Ａ、５Ｂがその両面において効果的に熱交換を行うことができるので好適である。熱交換装置５Ａ、５Ｂの具体的構成については、図２を参照して後述する。
【００３２】
貯蔵室３Ａ、３Ｂの各々の空気は、貯氷室１の空気と直接接触して熱交換を行うのではなく、熱交換装置５Ａ、５Ｂを通過することにより、熱交換装置５Ａ、５Ｂの表面部材を介して非接触で貯氷室１の空気との間で熱交換を行う。そのため、貯蔵室３Ａの空気と貯蔵室３Ｂの空気が混じり合うことはない。また、貯蔵室３Ａ、３Ｂの各々の空気と貯氷室１の空気が混じり合うこともない。これにより本システムでは、貯蔵室３Ａ、３Ｂに貯蔵する貯蔵物４Ａ、４Ｂが、衛生面及び品質面において互いに影響を及ぼすことはなく、貯氷室１の空気に影響されることもない。このことは、貯蔵物４Ａ、４Ｂが例えば肉、魚介、酒、チーズ等の農水産物及びその加工品の場合に好適である。特に、空気中の菌を利用したり空気中の菌に影響されたりする発酵食品などにおいてはさらに好適である。
【００３３】
図２（ａ）（ｂ）（ｃ）は、図１に示した構成例の熱交換装置の平面概略図、側面概略図、及び正面概略図である。図２に示す熱交換装置は図１に示した熱交換装置５Ａであるが、熱交換装置５Ｂも熱交換装置５Ａと同様の構成である。
【００３４】
図２（ａ）（ｂ）（ｃ）に示すように、熱交換装置５Ａは、前面側熱交換パネル５Ａ１と背面側熱交換パネル５Ａ２の２枚の熱交換パネルからなり、２枚の熱交換パネル５Ａ１、５Ａ２の端部同士が連結パイプ５Ａ６により連結されている。各熱交換パネル５Ａ１、５Ａ２の内部には、上下に何度も蛇行する空気流路５Ａ３が形成されている。
【００３５】
貯蔵室３Ａから循環パイプ７Ａ２に吸入された空気は、まず前面側熱交換パネル５Ａ１の端部に設けられた前面側熱交換パネル入口５Ａ４から前面側の熱交換パネル５Ａ１の内部に流入し、パネル内を上下に何度も蛇行する空気流路５Ａ３を通り、前面側熱交換パネル出口５Ａ５に到達する。その後、前面側熱交換パネル５Ａ１と背面側熱交換パネル５Ａ２を繋ぐ連結パイプ５Ａ６を介して背面側熱交換パネル入口５Ａ７から背面側熱交換パネル５Ａ２の内部に流入する。背面側熱交換パネル５Ａ２内を上下に何度も蛇行する空気流路５Ａ３を通って背面側熱交換パネル出口５Ａ８に到達した空気は、循環パイプ７Ａ１を通り、貯蔵室３Ａに送出される。
【００３６】
熱交換装置５Ａ内で上下に何度も蛇行する空気流路５Ａ３を通ることにより、貯蔵室３Ａからの空気と貯氷室１内の冷たい空気との熱交換が効率よく行われ、貯蔵室３Ａからの空気を冷却することができる。
【００３７】
熱交換装置５Ａ、５Ｂの形状、大きさ及び位置は特に限定しないが、熱交換が効率よく行われるためには、図１に示したように熱交換装置５Ａ、５Ｂが、氷タンク２に囲まれていることが好ましい。なお、熱交換装置５Ａ、５Ｂを鉛直方向に立設する場合、熱交換装置５Ａ、５Ｂの下端面を床に接触させると熱交換のための表面積が少なくなるので好ましくない。従って、例えば熱交換装置５Ａ、５Ｂの下端面の両端部に脚部（図示せず）を設けるなどして床との間に空間を設け、床と接触しないように設置することが好適である。
【００３８】
図示しないが、別の実施形態として、図２に示した略パネル形状の熱交換装置５Ａ（熱交換装置５Ｂも同様）を水平方向に倒伏させて配置してもよい。氷タンク２を設置した棚は、複数段の棚板から構成されているが、例えばそのいずれか段において棚板と氷タンク２を配置する替わりに熱交換装置５Ａを水平方向に設置する。その場合、図２の２枚の熱交換パネル５Ａ１と５Ａ２は互いに上下に位置することになる。このようにして、熱交換装置５Ａ、５Ｂを、その直上の段の氷タンク２とその直下の段の氷タンク２により挟むように配置できる。なお、熱交換装置５Ａ、５Ｂを、氷タンク２の棚の最下段又は最上段に水平方向に設置してもよいが、最下段に設置する場合も、床との間には空間を設けることが好適である。
【００３９】
図示しないが、別の実施形態として、熱交換装置５Ａ、５Ｂをそれぞれ構成する熱交換パネルの数は１枚であってもよいし、３枚以上であってもよい。また、熱交換装置５Ａと５Ｂの各々の有する熱交換パネルの数が異なっていてもよい。また、熱交換パネルの空気流路５Ａ３の蛇行方向は、図２の上下方向に限られず、左右方向であってもよい。所定の外郭寸法の熱交換パネルにおける空気流路５Ａ３の蛇行回数は、必要とされる熱交換性能に応じて設定される。熱交換パネルへの入口５Ａ４、５Ａ７及び熱交換パネルからの出口５Ａ５、５Ａ８は、各熱交換パネルの外周上のどの位置に設けてもよい。
【００４０】
熱交換装置５Ａ、５Ｂや循環パイプ７Ａ１、７Ａ２、７Ｂ１、７Ｂ２の素材は特に限定しないが、アルミニウム板、アルミニウム管など、熱伝導の良い素材であることが好ましい。
【００４１】
１つの貯蔵室３Ａの温度は、必要に応じて、送出・吸入ダクトファン６Ａ１、６Ａ２の風量及び／又は熱交換装置５Ａの熱交換性能を適切に設定することにより設定できる。送出・吸入ダクトファン６Ａ１、６Ａ２の風量を変更することにより、熱交換装置５Ａにおける空気の滞留時間を変更することができる。滞留時間が長ければ熱交換量が大きくなり、滞留時間が短ければ熱交換量が小さくなる。送出・吸入ダクトファン６Ａ１、６Ａ２の風量の変更は、速やかにかつ容易に行うことができるので好適である。熱交換装置５Ａの熱交換性能は、熱交換を行う表面積及び空気の滞留時間を変更することにより変更できる。例えば熱交換パネル５Ａ１、５Ａ２の外郭寸法及びパネル枚数、空気流路５Ａ３の長さ（蛇行の回数）等を変更する。別の貯蔵室３Ｂの温度についても同様の方法で別個に設定することができる。
【００４２】
例えば、貯蔵室３Ａの温度を、貯氷室１の温度である０〜１℃としたい場合は、送出・吸入ダクトファン６Ａ１、６Ａ２の風量を最小にして熱交換装置５Ａにおける滞留時間を長くする。また、熱交換装置５Ａの熱交換パネルの５Ａ１、５Ａ２の外郭寸法を大きくするか、枚数を増やすか、かつ／又は空気流路５Ａ３の蛇行回数を多くしてもよい。一方、貯蔵室３Ｂの温度は貯氷室１の温度より高くしたい場合は、送出・吸入ダクトファン６Ｂ１、６Ｂ２の風量を相対的に大きい適宜の量にして熱交換装置５Ｂにおける滞留時間を短くする。また、熱交換装置５Ｂにおける滞留時間が短くなるように熱交換パネルの外郭寸法を小さくするか、枚数を減らすか、かつ／又は空気流路５Ａ３の蛇行回数を多くしてもよい。
【００４３】
このように、送出・吸入ダクトファンの風量及び熱交換装置の熱交換性能を変更することにより、対応する貯蔵室の温度を所望する温度に設定することができる。すなわち、１つの貯氷室１を用いて複数の貯蔵室を異なる温度で管理することができる。従って、従来技術のように各貯蔵室の温度を変えるために電熱ヒーターなどは不要である。
【００４４】
熱利用空間は貯蔵室に限られない。別の実施形態として、住居スペースを熱利用空間としてもよい。これにより冷房としての利用も可能である。貯氷室に設けられた熱交換装置と住居スペースを循環し、住居スペースでのみ開口する循環パイプを設置することで、吸入ダクトファンの働きにより循環パイプ内に吸入された住居スペースの空気は、熱交換装置により冷却され、送出ダクトファンにより再び住居スペースに送出される。
【００４５】
図示の例では閉鎖空間である貯氷室を熱源空間とし、氷タンクを設置して冷熱源としているが、降雪地域であれば冬期には降雪を冷熱源として利用することができる。例えば、閉鎖空間である屋内に雪を運び入れて貯蔵した熱源空間や、天井付き貯雪施設の天井を一時的に開放して積雪させた後に天井を閉じて雪を貯蔵した熱源空間でもよい。
【００４６】
また別の例として、開放空間である屋外の積雪場所又は雪溜め場所を熱源空間とし、熱交換装置を設置してもよい。屋外に設置した熱交換装置と閉鎖空間である屋内の熱利用空間を循環パイプで連結する。循環パイプ内に吸入された熱利用空間内の空気は熱交換装置により冷却され、再び熱利用空間内に送出される。自然物である降雪を直接冷熱源として利用できるため、より環境に優しい。
【００４７】
本発明の間接熱交換空気循環システムでは、熱源としては冷熱源だけでなく、温熱源の利用も可能である。ボイラー室など、燃焼装置が設置され排熱のある空間を熱源空間とし、排熱のある空間内に熱交換装置を設置して、熱利用空間と循環パイプで連結する。循環パイプ内に吸入された熱利用空間内の空気は、熱交換装置により温められ、再び熱利用空間内に送出される。例えば、住居スペースを熱利用空間とすれば、暖房としての利用が可能である。植物を育てるビニールハウスを熱利用空間とすれば、温室としての利用が可能である。この場合、温熱源は燃焼装置であるが、無駄になっていた排熱を有効に利用できるため、環境保全の観点からも好ましい。
【００４８】
以上に述べた本発明の実施形態は一例を示したものであり、これら以外にも種々の公知技術を適用した多様な変形形態が可能であり、それらについても本発明に含まれるものとする。
【符号の説明】
【００４９】
１０  間接熱交換空気循環システム
１  熱源空間（貯氷室）
２  熱源（氷タンク、氷）
３Ａ、３Ｂ  熱利用空間（貯蔵室）
４Ａ、４Ｂ  貯蔵物
５Ａ、５Ｂ  熱交換装置
５Ａ１  前面側熱交換パネル
５Ａ２  背面側熱交換パネル
５Ａ３  空気流路
５Ａ４  前面側熱交換パネル入口
５Ａ５  前面側熱交換パネル出口
５Ａ６  連結パイプ
５Ａ７  背面側熱交換パネル入口
５Ａ８  背面側熱交換パネル出口
６Ａ１、６Ｂ１  送出ダクトファン
６Ａ２、６Ｂ２  吸入ダクトファン
７Ａ１、７Ａ２、７Ｂ１、７Ｂ２  循環パイプ
１００  氷室
１１０  貯蔵室
１２０ａ  吸入ダクトファン
１２０ｂ  送出ダクトファン
１３０  氷タンク
１４０  貯蔵物
【図１】
2017194199.tif 000003
【図２】
2017194199.tif 000004
【図３】
2017194199.tif 000005